(57)【要約】【課題】ＰＷＭコンバータが故障した場合、上記制御装置の配線を変更しなければ、電気的なエレベータの昇降が不可能となり、エレベータの乗客救出及び故障復旧に時間を要する。【解決手段】スイッチ１２ａ、１２ｂまたはコンタクタ１３ａ、１３ｂを操作することにより、制御装置５の配線変更を行わなくても、ＰＷＭコンバータからダイオードコンバータに容易に切り替えることができる。【選択図】図３
2006290497.tif 000002
【特許請求の範囲】
【請求項１】
交流入力を整流して直流に変換するダイオードコンバータと、交流入力を整流して直流に変換するＰＷＭコンバータと、直流を交流に変換してモータを駆動するインバータを持ち、上記ダイオードコンバータと上記ＰＷＭコンバータを切り替えることができるエレベータの制御装置において、エレベータの据付現場にて、エレベータの昇降が可能な状態で故障復旧を行うことを特徴とするエレベータの制御装置。
【請求項２】
請求項１のエレベータの制御装置において、上記ＰＷＭコンバータと上記ダイオードコンバータを容易に切り替えることができることを特徴とするエレベータの制御装置。
【請求項３】
請求項１のエレベータの制御装置において、スイッチにより上記ＰＷＭコンバータと上記ダイオードコンバータを容易に切り替えることができるエレベータの制御装置。
【請求項４】
請求項１のエレベータの制御装置において、コンタクタにより上記ＰＷＭコンバータと上記ダイオードコンバータを容易に切り替えることができ、上記ＰＷＭコンバータが故障した場合に、電気的信号にてダイオードコンバータに切り替えることができるエレベータの制御装置。
【発明の詳細な説明】
【技術分野】
【０００１】
本発明は、エレベータの制御装置の故障復旧に適したエレベータの制御装置に関する。
【背景技術】
【０００２】
中・低層階用エレベータ制御装置では、図１のような回路構成のものが採用されることが多い。図１において、１は商用電源、２は商用電源の交流を直流に変換するダイオードコンバータ、３はコンデンサ、４は直流電力を可変電圧可変周波数の交流電力に変換するインバータ、４ａは運転制御装置５内のインバータを制御するインバータマイコン、６はモータ、７はモータに連結された巻上機、８は乗りかご、９はカウンターウエートである。  さらに、有償付加仕様として、省エネ機能を追加する場合は、商用電源の交流を直流に変換するＰＷＭコンバータ１０と、運転制御装置５内のコンバータを制御するコンバータマイコン１０ａと、リアクトル１１を追加した構成となり、回生運転の場合には、インバータ４、ＰＷＭコンバータ１０を通して商用電源１にエネルギーが回生される回生機能付きエレベータの制御装置となる。また、商用電源の交流を直流に変換するＰＷＭコンバータと、直流電力を可変電圧可変周波数の交流電力に変換するインバータで構成したエレベータの制御装置においても、回生運転の場合にはインバータ、コンバータを通して商用電源にエネルギーが回生される（特許文献１参照）。
【特許文献１】特開２００４−９１１５９号公報（段落００１２、図１）
【発明の開示】
【発明が解決しようとする課題】
【０００３】
従来の回生機能付きエレベータ制御装置では、交流入力を整流して直流に変換するダイオードコンバータと、交流入力を整流して直流に変換するＰＷＭコンバータと、直流を交流に変換してモータを駆動するインバータを持ち、図１に示すようにダイオードコンバータとＰＷＭコンバータの切り替えは、上記制御装置の配線変更にて行っている。従って、ＰＷＭコンバータが故障した場合、上記制御装置の配線を変更しなければ、電気的なエレベータの昇降が不可能となり、エレベータの乗客救出に時間を要する。また、近年、都市部のマンション等の中・低層階のビルでは、機械室のないエレベータの要求が多くなっているため、エレベータ制御装置を昇降路内に設置していることが多く、故障復旧においても、昇降路内で制御装置の配線変更作業が必要となり、さらに時間を要するという課題もあった。この発明は、上記のような課題を解決するために、交流入力を整流して直流に交換するダイオードコンバータと、交流入力を整流して直流に交換するＰＷＭコンバータと、直流を交流に変換してモータを駆動するインバータを持ち、ＰＷＭコンバータとダイオードコンバータに切り替えることができるエレベータの制御装置において、ＰＷＭコンバータからダイオードコンバータに容易に切り替えることができ、エレベータの据付現場にて電気的にエレベータの昇降が可能な状態で故障復旧を行うことを特徴とするエレベータの制御装置を得ることを目的とする。
【課題を解決するための手段】
【０００４】
本発明に係るエレベータの制御装置は、交流入力を整流して直流に交換するダイオードコンバータと、交流入力を整流して直流に変換するＰＷＭコンバータと、直流を交流に変換してモータを駆動するインバータを持ち、ダイオードコンバータとＰＷＭコンバータを切り替えることができるエレベータの制御装置において、スイッチによりＰＷＭコンバータからダイオードコンバータに容易に切り替えることができるものである。また、コンタクタによりＰＷＭコンバータからダイオードコンバータに容易に切り替えることができ、ＰＷＭコンバータが故障した場合に、電気的信号にてダイオードコンバータに切り替えることができるものである。
【発明の効果】
【０００５】
この発明は、以下に記載するような効果を奏する。
【０００６】
本発明に係るエレベータの制御装置は、スイッチまたはコンタクタを操作することにより、ＰＷＭコンバータからダイオードコンバータに容易に切り替えることができるため、ＰＷＭコンバータが故障した場合のエレベータの乗客救出時間や故障復旧時間を短縮することができる。
【発明を実施するための最良の形態】
【０００７】
以下、本発明による実施形態について説明する。
【０００８】
図２は、本発明の一実施形態に係るエレベータの制御装置を示す図である。図において、１は商用電源、２は商用電源の交流を直流に変換するダイオードコンバータ、３はコンデンサ、４は直流電力を可変電圧可変周波数の交流電力に変換するインバータ、４ａは運転制御装置５内のインバータを制御するインバータマイコン、６はモータ、７はモータに連結された巻上機、８は乗りかご、９はカウンターウエート、１２ａはダイオードコンバータ２を回路上有効と無効に切り替えるためのダイオードコンバータ側スイッチである。
【０００９】
さらに、電源回生機能として、商用電源の交流を直流に変換するＰＷＭコンバータ１０と、運転制御装置５内のコンバータを制御するコンバータマイコン１０ａと、リアクトル１１、ＰＷＭコンバータ２を回路上有効と無効に切り替えるためのＰＷＭコンバータ側スイッチ１２ｂを追加した構成とする。尚、上記制御装置において、通常時は、回生運転の場合にインバータからコンバータを通して商用電源にエネルギーを回生させるため、ＰＷＭコンバータ側スイッチ１２ｂをＯＮ、ダイオードコンバータ側スイッチ１２ａをＯＦＦとする。つぎに、この一実施形態のＰＷＭコンバータ１０の故障復旧方法について説明する。運転制御装置５にてＰＷＭコンバータ１０の故障を検出した場合、または、ＰＷＭコンバータ１０の絶縁測定を行う場合、まずＰＷＭコンバータ側スイッチ１２ｂをＯＦＦし、エレベータの制御装置からＰＷＭコンバータ部を電気的に切り離す。次に、ダイオードコンバータ側スイッチ１２ａをＯＮし、エレベータの制御装置から切り離されていたダイオードコンバータ部を有効にする。ダイオードコンバータ部を有効にすることにより、電気的にエレベータの昇降が可能な状態となる。このように、この実施形態によれば、制御装置の配線変更作業が不要となり、エレベータの乗客救出時間や故障復旧時間を短縮することができる。
【００１０】
図３は、本発明の他の実施形態に係るエレベータの制御装置を示す図である。図において、１は商用電源、２は商用電源の交流を直流に変換するダイオードコンバータ、３はコンデンサ、４は直流電力を可変電圧可変周波数の交流電力に変換するインバータ、４ａは運転制御装置５内のインバータを制御するインバータマイコン、６はモータ、７はモータに連結された巻上機、８は乗りかご、９はカウンターウエート、１３ａはダイオードコンバータ２を回路上有効と無効に切り替えるためのダイオードコンバータ側コンタクタである。さらに、電源回生機能として、商用電源の交流を直流に変換するＰＷＭコンバータ１０と、運転制御装置５内のコンバータを制御するコンバータマイコン１０ａと、リアクトル１１、ＰＷＭコンバータ２を回路上有効と無効に切り替えるためのＰＷＭコンバータ側コンタクタ１３ｂを追加した構成とする。尚、ダイオードコンバータ側コンタクタ１３ａとＰＷＭコンバータ側コンタクタ１３ｂは、常開接点とする。また、上記制御装置において、通常時は、回生運転の場合にインバータからコンバータを通して商用電源にエネルギーを回生させるため、運転制御装置５を介して、インバータマイコン４ａ、コンバータマイコン１０ａにそれぞれダイオードコンバータ側コンタクタ１２ａをＯＦＦ、ＰＷＭコンバータ側コンタクタ１２ｂをＯＮさせる電気的信号を送信する。つぎに、この実施形態のＰＷＭコンバータ１０の故障復旧方法について説明する。運転制御装置５にてＰＷＭコンバータ１０の故障を検出した場合、コンバータマイコン１０ａにて異常を検出する。異常を検出したコンバータマイコン１０ａは、ＰＷＭコンバータ側コンタクタ１３ｂをＯＦＦする電気信号を送信し、ＰＷＭコンバータ側コンタクタ１３ｂをＯＦＦさせる。次に、異常を検出したコンバータマイコン１０ａは、異常情報をインバータマイコン４ａに送信する。異常を検出したインバータマイコン４ａは、ダイオードコンバータ側コンタクタ１３ａをＯＮする電気信号を送信し、ダイオードコンバータ側コンタクタ１３ａをＯＮさせる。よって、ＰＷＭコンバータ１０からダイオードコンバータ４ａに切り替わり、電気的にエレベータの昇降が可能は状態となる。このように、この実施形態によれば、制御装置の配線変更作業が不要となり、エレベータの乗客救出時間や故障復旧時間を短縮することができる。
【図面の簡単な説明】
【００１１】
【図１】従来の中・低層用回生機能付きエレベータの制御装置を示す図である。
【図２】本発明の一実施形態に係るエレベータの制御装置を示す図である。
【図３】本発明の他の実施形態に係るエレベータの制御装置を示す図である。
【符号の説明】
【００１２】
１  商用電源
２  ダイオードコンバータ
３  コンデンサ
４  インバータ
４ａ  インバータマイコン
５  運転制御装置
６  モータ
７  巻上機
８  乗りかご
９  カウンターウエート
１０  ＰＷＭコンバータ
１０ａ  コンバータマイコン
１１  リアクトル
１２ａ  ダイオードコンバータ側スイッチ
１２ｂ  ＰＷＭコンバータ側スイッチ
１３ａ  ダイオードコンバータ側コンタクタ
１３ｂ  ＰＷＭコンバータ側コンタクタ  
【図１】
2006290497.tif 000003
【図２】
2006290497.tif 000004
【図３】
2006290497.tif 000005